(57)【特許請求の範囲】
【請求項１】
浴室壁面に上面が同じ高さとなるように固定される複数のステーと、これらのステー前面に固定される前フレームと、上記前フレームに一端を係合するスカートと、上記ステーの上面の浴室壁面側に配置される後フレームと、上記前フレームに固定されて上記ステー、前フレーム及び後フレームの上方に跨る平板形状の天板とを備えた浴室カウンタ。
【請求項２】
請求項１において、上記前フレームと上記後フレームの上面高さにより天板を前傾斜させる浴室カウンタ。
【請求項３】
請求項１又は２において、天板の後方の垂直面部分に切欠が設けられており、後フレームの後端に天板の切欠と係合する係合突起を有する浴室カウンタ。
【請求項４】
請求項１乃至３の何れかにおいて、天板が、前フレームとネジ止めされ、このネジ頂部を天板の上面から突出させて洗面器の滑り止めとした浴室カウンタ。
【請求項５】
請求項１乃至４の何れかにおいて、前フレームが天板と同じ長さであり、天板に固定された１つの上記前フレームが上記複数のステーの前面に跨るように固定されている浴室カウンタ。
【請求項６】
請求項１乃至５の何れかに記載の浴室カウンタを有した浴室ユニット。
【発明の詳細な説明】
【技術分野】
【０００１】
本発明は、洗面器等を載置する浴室カウンタ、及び、この浴室カウンタを有した浴室ユニットに関する。
【背景技術】
【０００２】
浴室ユニットは、各部材を予め成形し、施工現地にて組立作業をおこなうもので、在来工法に比較し、施工期間を大幅に短縮可能であることから、広く使用されている。浴室ユニットの内部は、防水パンの上に浴室を配置しており、周囲を壁パネル、上部を天井パネルにて覆うようにしてあり、その他に、照明装置、鏡、棚、浴室カウンタ等を設置している。
【０００３】
図１は、従来の浴室カウンタを示す概略断面図である。
浴室カウンタ１は、浴室壁面に固定されるステー２、天板３、スカート４を備えており、詳細に述べると、先ず浴室壁面に対し複数のステー２を、その上面が同じ高さとなるように配置固定する。次に裏面に突出片５を有した天板３を、突出片５がステー２の凹部６に入り込むように設置固定する。最後にステー２を隠蔽するように、スカート４を天板３の端部と、ステー２の下端にて固定する。
【０００４】
このようにして組み立てられた浴室カウンタ１は、使用者が、洗面器、シャンプー等の小物を載置することに使用され、ある程度の加重に耐えうるようになっている。
また、浴室カウンタ１は、天板３を突出片５と、凹部６とにより嵌合させており、ネジを使用することなく、容易に固定することができる。
【特許文献１】特開２００２−２５３４３９号公報
【発明の開示】
【発明が解決しようとする課題】
【０００５】
しかしながら、図１に示す従来の浴室カウンタ１は、天板３の裏面に突出片を設ける必要があり、型による成形を行うことから、少量多品種の製造には向かず、無理に対応しようとすると、製造原価が上がり、使用者への売価が極めて高いものとなってしまう。
近年の浴室カウンタは、他人との差別化を望む消費者が多くなっていることから、少量多品種への流れが強く、現状のままでは、利用者の要望を満足する浴室カウンタを提供することが困難となっている。
【０００６】
本発明は、利用者の要望である、少量多品種に対応可能な、浴室カウンタ、及び、このカウンタを有する浴室ユニットを提供することを目的とする。
【課題を解決するための手段】
【０００７】
（１）本発明は、浴室壁面に上面が同じ高さとなるように固定される複数のステーと、これらのステー前面に固定される前フレームと、上記前フレームに一端を係合するスカートと、上記ステーの上面の浴室壁面側に配置される後フレームと、上記前フレームに固定されて上記ステー、前フレーム及び後フレームの上方に跨る平板形状の天板とを備えた浴室カウンタである。
（２）項（１）において、上記前フレームと上記後フレームの上面高さにより天板を前傾斜させる浴室カウンタ。
（３）項（１）又は（２）において、天板の後方の垂直面部分に切欠が設けられており、後フレームの後端に天板と係合する係合突起を有する浴室カウンタ。
（４）項（１）乃至（３）の何れかにおいて、天板が、前フレームとネジ止めされ、このネジ頂部を天板の上面から突出させて洗面器の滑り止めとした浴室カウンタ。
（５）請（１）乃至（４）の何れかにおいて、前フレームが天板と同じ長さであり、天板に固定された１つの上記前フレームが上記複数のステーの前面に跨るように固定されている浴室カウンタ。
（６）項（１）乃至（５）の何れかに記載の浴室カウンタを有した浴室ユニット。
【発明の効果】
【０００８】
本発明によれば、天板が、前フレーム係合するので、天板として平板形状のものを使用可能となり、型を必要とすることのない、一般的な化粧板を使用することができ、売価を上げることなく、少量多品種の浴室カウンタを提供することができる。また、天板のみを容易に交換することもできる。
後フレームを用いたものは、天板を前傾斜させることができ、浴室カウンタの上面に滴下した湯水を浴室カウンタに留めることがなくなり、水垢等を付着させにくくなる。
また、後フレームに天板と係合する係合突起を設けた場合は、天板の浮き上がりを阻止することができ、浴室カウンタの手間に加重が掛かっても、天板の後端が浮き上がることがない。
ネジ頂部を洗面器の滑り止めとした場合は、個別に滑り止めを設けることなく、洗面器の滑りを防止することができ、部材点数を減少させることができる。
本発明の浴室ユニットを有した浴室ユニットは、浴室内にて注目度が高い浴室カウンタを様々デザインに変更することが容易であり、差別化を好まれる利用者に、売価を上げることなく、多くのプランを提供することができる。
【発明を実施するための最良の形態】
【０００９】
本発明に用いる浴室壁面は、ステーを固定するだけの強度を有するものであれば特に制限されず、金属壁、樹脂壁等を適宜使用することができる。
また、壁厚が薄い場合には、裏面にあて板等を配置することができ、その他断熱材の裏打ちを行うこともできる。
浴室壁面は、予めステーを固定するネジ位置を示す印があることが好ましく、印を付加することで水平出し、位置決め等の作業時間を大幅に短縮することができる。
【００１０】
本発明に用いるステーは、洗面器、シャンプー等の小物を載置しても耐えうる強度を有するものであれば特に制限されず、金属製ステー、樹脂製ステー等を使用することができる。中でも、樹脂製ステーは、錆びることがなく、水場にて使用するのに好ましい。
ステーの形状は、特に制限されないが、上面を平面とし、その上面と直交する壁付け面を有し、上面及び壁付け面の端部を結ぶ斜面を備えたものを好ましく用いることができる。
また、ステーの前面は、後述する前フレームを固定するので平面形状とすることが好ましい。
ステーの使用個数は、特に制限されないが、１つの浴室カウンタにて、２〜４個のステーを使用する。
【００１１】
本発明に用いる前フレームは、ステー前面に固定可能であれば特に制限はなく、様々な形状、材質を用いることができる。
前フレームは、後述するスカートの一端を係合させることから、その断面形状の一部又は全部にコ字形状の凹みを有することが好ましく、このコ字形状の一面を使用してステーに固定し、これに直交する面を使用して天板を固定し、最後の一面を使用してスカートの一端を係合させることができる。
【００１２】
本発明に用いるスカートは、使用者からステーを隠蔽可能であれば特に制限されるものではなく、その一端を前フレームと係合して使用する。
また、スカートの他端は、ステー又は浴室壁に係合させることで保持される。
スカートは、その材質を限定されるものではないが、防錆性能を有し、可撓性の高い樹脂成形品を用いることが好ましく、この可撓性を利用して係合、係合解除を行うことができる。
スカートの設置形状は、角部がないことが好ましく、奥に向かって下り勾配を有するようにすることが特に好ましい。このような形状は、水滴が流下しやすく、清掃性に優れる。
【００１３】
本発明に用いる天板は、平板形状であり、その上面に加飾を施すことができる。
また、加飾は、より一層の少量多品種への対応を可能ならしめるインクジェット印刷を施したものが好ましい。インクジェット印刷を行った天板は、その上面に防水性能を有する表面コートを施すことが好ましい。
天板は、ステー及び前フレームに跨って配置され、上面が手前に向かって下り勾配となるように設置することが好ましい。
天板の固定は、前フレームとの間で行われ、この固定ネジの頂部を天板の上面から突出させ、洗面器等の滑り止めとして使用することが好ましい。
【００１４】
本発明に用いる後フレームは、ステー上面と、天板との間に配置されるものであり、その一端が、浴室壁面に接するように配置されることが好ましい。
また、後フレームは、前フレームよりもその厚みが厚いことが好ましく、厚くすることで、天板を手前傾斜に設置することができる。
後フレームは、天板と係合する係合突起を設けることが好ましく、この係合突起により天板の浮き上がりを防止することができる。より具体的には、後フレームの上面より上方へ突起を設け、この突起の一部を水平方向に曲げ、曲げ部分を天板に設けた溝に嵌合させることで、浮き上がりを防止することができる。
後フレームは、ステーに対して直接固定することができ、接着、ネジ止め、嵌合等、様々な手段を用いることができる。特に、ネジ止めする方法は、その作業の容易さ、素早さから好ましく、更にネジが天板により隠されるため、使用者から見られることがない。
【００１５】
本発明にて述べる浴室ユニットは、先に述べた本発明の浴室カウンタを有するものであれば特に制限されない。具体的には、防水パンの周囲に浴室壁及び出入口を配置し、上部を天井パネルにて覆い浴室空間を形成し、内部に浴槽を配置したものが使用できる。
また、浴室内部には、照明器具、棚、鏡、手摺り、液晶画面、スピーカ等を配置することもできる。
【実施例】
【００１６】
以下、本発明の実施例について、図面を用いて説明する。
図２は、本発明の浴室カウンタを示す概略側断面図である。浴室カウンタ１は、側面視にて略五角形をしたステー２と、このステー２の前面に固定される前フレーム７と、ステー２の上面に固定される後フレーム８と、前フレーム７及びステー２に係合するスカート４と、天板３とを備えている。
ステー２は、垂直平面９を有し、この垂直平面９を浴室壁面に当接させ、ネジにより固定される。また、ステー２は、垂直平面９と平行な前面１０を有し、ここに前フレーム７を固定する。
【００１７】
図３は、図２に示す前フレームの拡大断面図である。前フレーム７は、天板を載置する天板面１１を有し、この天板面１１の裏面に、ステーに固定する固定片１２を設けている。固定片１２は、天板面１１との関係で述べると、垂下させたものでなく、固定片１２を垂直にした際に、天板面１１がカウンタ前方に向かい下り傾斜となるようにしてある。これは、天板面１１と天板とを当接させた際に、天板がカウンタ前方に向かい下り傾斜となることを目的に行われている。
また、固定片１２は、ネジ１３を通す貫通孔１４を有しており、施工現場にて容易にステーへの固定が可能となっている。
天板面１１には、固定片１２と同様に貫通孔１４が設けられ、天板を固定するネジ１５を貫通させる。
前フレーム７は、カウンタの最前面となる部分に、幕板片１６が設けられ、この幕板片１６の裏面にスカートを係合させる。幕板片１６は、使用者から直接ネジ１３の頂部が見えないように隠蔽しており、更には、軽量化及び剛性を持たせる為に、肉抜き１７を設けている。
【００１８】
図４は、図２に示す後フレームの拡大断面図である。後フレーム８は、天板を載置する載置面１８を有し、この載置面１８が、後フレーム８をステーに固定した際に、図３に示す天板面１１と、同一平面を形成する傾斜を有している。
また、後フレーム８は、その略中央にステーへと固定するネジ１９を貫通させる貫通孔１４が設けられている。
後フレームの後端には、天板に設けた溝と係合させる係合突起２０が設けられており、鉛直方向に伸ばした突起の先端を水平方向へと曲げている。
【００１９】
図５は、図２に示す天板の一部省略拡大断面図である。天板３は、平板を使用しており、端面に丸みをつけて安全性をより向上させている。カウンタの前方となる部分には、図３に示すネジ１５を貫通させる貫通孔１４が設けられており、カウンタの後方となる垂直面部分には、切欠２１を設けている。
切欠２１は、図４に示す係合突起２０を係合させるものであり、これにより天板３の後端が浮き上がるのを阻止している。
また、天板３は、図３に示す天板面１１及び図４に示す載置面１８と、各々面接触しており、上面に重量物が載置されても安定して固定され、且つ、上面がカウンター前方方向に下り傾斜していることから、水溜まりによる水垢が付着しにくくなっている。
【００２０】
図６は、図２に示す天板の一部透視上面図である。天板３は、３つのステー２により支えられており、カウンタの前方に、図３に示すネジ１５の頂部を突出させている。
突出させた頂部２２は、等間隔に４つ設けてあり、これが洗面器等がカウンタ上面にて滑ることを防止している。
また、ステー２は、上方から見ると、浴室壁面方向にて広がりをもっており、浴室壁面との接触面積をより多くするようにしてある。
【００２１】
図７は、図２に示す浴室カウンタの一部省略拡大図である。スカート４は、その下端を図２に示すように、ステー２の下面に差し込み、上端を前フレーム７に設けた幕板片１６の裏面に係合させる。スカート４の取り外しは、スカート４の下面を浴室壁方向へと押し下げてスカートを撓ませ、幕板片１６との係合を解除し、最後に下端をステー２から引き抜く。
【００２２】
図８は、本発明の浴室カウンタを設置する作業手旬を示す概略斜視図である。
浴室カウンタの設置は、先ず、浴室壁面２３にネジ孔を設け、そのネジ孔を使用して、ステー２をネジ固定する。尚、本実施例においては、３つのステーを等間隔にて設置固定している。
次に、ステー２に対し、後フレーム８を設置し、上面からネジ１９を用いて後フレーム８を固定する。
更に、予め天板３に前フレーム７を固定した部材を、ステー２の上面にてスライドさせ、天板３に設けた切欠２１を、後フレーム８の係合突起２０に差し込む。切欠２１と係合突起２０との係合を行った後は、前フレーム７の下方より手をいれてネジを回し、前フレーム７をステー２に固定させる。
最後に、スカート４をステー２及び前フレーム７に係合させ、浴室カウンタ１とする。
【図面の簡単な説明】
【００２３】
【図１】従来例を示す、浴室カウンタの概略断面図である。
【図２】本発明の浴室カウンタを示す概略側断面図である。
【図３】図２に示す前フレームの拡大断面図である。
【図４】図２に示す後フレームの拡大断面図である。
【図５】図２に示す天板の一部省略拡大断面図である。
【図６】図２に示す天板の一部透視上面図である。
【図７】図２に示す浴室カウンタの一部省略拡大図である。
【図８】本発明の浴室カウンタを設置する作業手旬を示す概略斜視図である。
【符号の説明】
【００２４】
１…浴室カウンタ、２…ステー、３…天板、４…スカート、５…突出片、６…凹部、７…前フレーム、８…後フレーム、９…垂直平面、１０…前面、１１…天板面、１２…固定片、１３…ネジ、１４…貫通孔、１５…ネジ、１６…幕板片、１７…肉抜き、１８…載置面、１９…ネジ、２０…係合突起、２１…切欠、２２…頂部、２３…浴室壁面。
【図１】
0004777089.tif 000002
【図２】
0004777089.tif 000003
【図３】
0004777089.tif 000004
【図４】
0004777089.tif 000005
【図５】
0004777089.tif 000006
【図６】
0004777089.tif 000007
【図７】
0004777089.tif 000008
【図８】
0004777089.tif 000009